(57)【要約】【課題】  よりスムーズに開封することが可能な包装体を提供すること。【解決手段】  互いに重ね合わされた一対の台材１と、一対の台材１の間に介在し、且つそれぞれの外面２１の一部ずつが一対の台材１に接合された一対のフィルム２と、一対のフィルム２の外面２１とは反対側の内面２２に接するように一対のフィルム２に挟まれた被包装物３と、を備えた包装体Ａ１であって、一対の台材１の少なくとも一方は、一対のフィルム２の一方を露出させ且つ厚さ方向視において被包装物３の少なくとも一部を収容する収容部１３を有し、一対のフィルム２の少なくとも一方は、フィルム切断起点部２３を有する。【選択図】  図４
2017145040.tif 000002
【特許請求の範囲】
【請求項１】
互いに重ね合わされた一対の台材と、
前記一対の台材の間に介在し、且つそれぞれの外面の一部ずつが前記一対の台材に接合された一対のフィルムと、
前記一対のフィルムの前記外面とは反対側の内面に接するように前記一対のフィルムに挟まれた被包装物と、を備えた包装体であって、
前記一対の台材の少なくとも一方は、前記一対のフィルムの一方を露出させ且つ厚さ方向視において前記被包装物の少なくとも一部を収容する収容部を有し、
前記一対のフィルムの少なくとも一方は、フィルム切断起点部を有することを特徴とする、包装体。
【請求項２】
前記一対の台材の少なくとも一方は、切断の起点となる台材切断起点部を有する、請求項１に記載の包装体。
【請求項３】
前記一対の台材の少なくとも一方は、台材切断予定線を有しており、
前記台材切断起点部は、前記台材切断予定線の端部である、請求項２に記載の包装体。
【請求項４】
前記一対の台材の双方が、前記台材切断予定線を有する、請求項３に記載の包装体。
【請求項５】
前記一対の台材の少なくとも一方が、前記収容部および前記台材切断予定線を有し、且つ、当該台材切断予定線は、当該台材の外端縁から当該収容部に向かって延びている、請求項３または４に記載の包装体。
【請求項６】
前記フィルムの少なくとも一方は、フィルム切断予定線を有しており、
前記フィルム切断起点部は、前記フィルム切断予定線の端部である、請求項１ないし５のいずれかに記載の包装体。
【請求項７】
前記台材切断予定線と前記フィルム切断予定線とは、前記厚さ方向視において少なくとも一部ずつが重なる、請求項３ないし５のいずれかを引用する請求項６に記載の包装体。
【請求項８】
前記フィルム切断予定線は、その全てが前記一対の台材の双方に覆われている、請求項６または７に記載の包装体。
【請求項９】
前記一対のフィルムの双方が、前記フィルム切断予定線を有する、請求項６ないし８のいずれかに記載の包装体。
【発明の詳細な説明】
【技術分野】
【０００１】
本発明は、台材に支持されたフィルムによって被包装物が包装された包装体に関する。
【背景技術】
【０００２】
台材に支持された透明なフィルムによって、被包装物が視認可能な状態で包装された包装体が種々に提案されている。特許文献１には、このような包装体の一例が開示されている。同文献に開示された包装体は、互いの端縁が連結された一対の台材と、一対の台材に接合され且つ互いの端縁が連結されたフィルムと、被包装物とを備えている。被包装物は、一対のフィルムに挟まれるようにして覆われている。一対の台材には、収容部が形成されている。被包装物は、平面視において収容部に収容されており、フィルムを延伸させるようにして一対の台材から厚さ方向に突出している。
【０００３】
このような包装体を開封する際には、一対の台材の少なくとも一方を切断した後に、一対のフィルムの少なくとも一方を切断する必要がある。台材が、台紙などの紙材料からなる場合、台材の切断は比較的容易である。一方、フィルムが、被包装物に良好に密着しうる程度の延伸性を有する場合、フィルムの切断は容易ではない。フィルムを切断するためにフィルムを過度に延伸させてしまうと、スムーズな切断が阻害されてしまう。また、フィルムを切断するために鋏等の切断手段を用いることは、不便であるとともに被包装物を傷つけることが懸念される。
【先行技術文献】
【特許文献】
【０００４】
【特許文献１】実開昭６１−１１５５９号公報
【発明の概要】
【発明が解決しようとする課題】
【０００５】
本発明は、上記した事情のもとで考え出されたものであって、よりスムーズに開封することが可能な包装体を提供することをその課題とする。
【課題を解決するための手段】
【０００６】
本発明によって提供される包装体は、互いに重ね合わされた一対の台材と、前記一対の台材の間に介在し、且つそれぞれの外面の一部ずつが前記一対の台材に接合された一対のフィルムと、前記一対のフィルムの前記外面とは反対側の内面に接するように前記一対のフィルムに挟まれた被包装物と、を備えた包装体であって、前記一対の台材の少なくとも一方は、前記一対のフィルムの一方を露出させ且つ厚さ方向視において前記被包装物の少なくとも一部を収容する収容部を有し、前記一対のフィルムの少なくとも一方は、フィルム切断起点部を有することを特徴としている。
【０００７】
好ましい実施の形態においては、前記一対の台材の少なくとも一方は、切断の起点となる台材切断起点部を有する。
【０００８】
好ましい実施の形態においては、前記一対の台材の少なくとも一方は、台材切断予定線を有しており、前記台材切断起点部は、前記台材切断予定線の端部である。
【０００９】
好ましい実施の形態においては、前記一対の台材の双方が、前記台材切断予定線を有する。
【００１０】
好ましい実施の形態においては、前記一対の台材の少なくとも一方が、前記収容部および前記台材切断予定線を有し、且つ、当該台材切断予定線は、当該台材の外端縁から当該収容部に向かって延びている。
【００１１】
好ましい実施の形態においては、前記フィルムの少なくとも一方は、フィルム切断予定線を有しており、前記フィルム切断起点部は、前記フィルム切断予定線の端部である。
【００１２】
好ましい実施の形態においては、前記台材切断予定線と前記フィルム切断予定線とは、前記厚さ方向視において少なくとも一部ずつが重なる。
【００１３】
好ましい実施の形態においては、前記フィルム切断予定線は、その全てが前記一対の台材の双方に覆われている。
【００１４】
好ましい実施の形態においては、前記一対のフィルムの双方が、前記フィルム切断予定線を有する。
【発明の効果】
【００１５】
本発明によれば、前記台材の切断が進展するに伴い、前記フィルム切断起点部を起点とした前記フィルムの切断が生じる。このため、前記台材を切断した後に、別の動作によって前記フィルムを切断する必要が無く、前記台材と前記フィルムとを１つの動作によって切断することが可能である。したがって、前記包装体をよりスムーズに開封することができる。
【００１６】
本発明のその他の特徴および利点は、添付図面を参照して以下に行う詳細な説明によって、より明らかとなろう。
【図面の簡単な説明】
【００１７】
【図１】本発明の第１実施形態に基づく包装体を示す平面図である。
【図２】本発明の第１実施形態に基づく包装体を示す要部平面図である。
【図３】図１のＩＩＩ−ＩＩＩ線に沿う断面図である。
【図４】本発明の第１実施形態に基づく包装体を示す分解斜視図である。
【図５】本発明の第１実施形態に基づく包装体の開封を示す平面図である。
【図６】本発明の第１実施形態に基づく包装体の開封を示す平面図である。
【図７】本発明の第１実施形態に基づく包装体の開封を示す平面図である。
【図８】本発明の第１実施形態に基づく包装体の変形例を示す平面図である。
【図９】本発明の第２実施形態に基づく包装体を示す平面図である。
【図１０】本発明の第２実施形態に基づく包装体を示す要部平面図である。
【図１１】本発明の第３実施形態に基づく包装体を示す平面図である。
【図１２】本発明の第３実施形態に基づく包装体を示す要部平面図である。
【図１３】本発明の第４実施形態に基づく包装体を示す分解斜視図である。
【図１４】本発明の第５実施形態に基づく包装体を示す分解斜視図である。
【発明を実施するための形態】
【００１８】
以下、本発明の好ましい実施の形態につき、図面を参照して具体的に説明する。
【００１９】
図１〜図４は、本発明の第１実施形態に基づく包装体を示している。本実施形態の包装体Ａ１は、一対の台材１、一対のフィルム２および被包装物３を備えている。
【００２０】
図１は、包装体Ａ１を示す平面図である。図２は、一方の台材１を省略した包装体Ａ１を示す要部平面図である。図３は、図１のＩＩＩ−ＩＩＩ線に沿う断面図である。図４は、包装体Ａ１を示す分解斜視図である。なお、図１および図２においては、フィルム２を透過して物体を視認可能である場合を例に記載しており、以降の同種の図においても同様である。また、台材１の厚さ方向がｚ方向であり、ｘ方向およびｙ方向は、いずれもｚ方向と直角であり且つ互いに直角である方向である。
【００２１】
被包装物３は、包装体Ａ１において包装可能なものであれば種類、大きさ、形状等は特に限定されない。被包装物３としては、例えば化粧品、医薬品、食品、飲料品、日用品等が挙げられる。図示された例においては、被包装物３は、略直方体形状である。
【００２２】
一対の台材１は、一対のフィルム２を挟んでｚ方向に互いに重ね合わされている。一方の台材１が一方のフィルム２を支持しており、他方の台材１が他方のフィルム２を支持している。一対のフィルム２の間に、被包装物３が配置されている。
【００２３】
台材１としては、一般的な、所謂ノンコート紙と呼ばれる厚紙、普通紙、合成紙等からなる台紙の他に、表面に樹脂層が設けられた所謂コート紙、あるいは合成樹脂シートなどを採用しうる。これらは単層シート、およびこれらの２以上のシートが積層接着された積層シートなどの各種シート材を用いることができる。本実施形態においては、台材１として厚紙からなり、全体として厚さ方向視（平面視）略長矩形状の台紙を用いる場合を例として説明する。なお、本実施形態においては、一対の台材１の平面視形状および大きさは互いに一致しているが、これに限定されず、互いの形状や大きさが異なる構成であってもよい。一対の台材１は、それぞれ別々の部材であることに限定されず、たとえば、互いの端縁同士が折り返し部分を介して連結された構成であってもよい。
【００２４】
一対の台材１は、それぞれ台材切断起点部１１、台材切断予定線１２および収容部１３を有する。
【００２５】
台材切断起点部１１は、台材１の切断の起点となる部位である。台材切断起点部１１の具体的な構成は特に限定されず、台材１の端縁に設けられた切欠きや切断部位、あるいは部分的に厚さが減じられた部位等を種々に選択することができる。本実施形態においては、台材切断起点部１１は、台材切断予定線１２の端部によって構成されている。
【００２６】
台材切断予定線１２は、台材１を所定の方向および長さで切断することを可能とする線状部位である。台材切断予定線１２の具体的構成は特に限定されず、図示された例においては、いわゆるミシン目線によって構成されている。台材切断予定線１２の他の例としては、たとえば部分的に厚さが減じられた所謂折り罫線であってもよい。本実施形態においては、台材切断予定線１２は、台材１のｙ方向図中上端からｙ方向図中下方に延びている。また、図示された例の台材切断予定線１２は、ｙ方向に沿う直線状であるが、曲線状や折れ線状であってもよい。
【００２７】
収容部１３は、台材１を厚さ方向に貫通しており、ｚ方向視において被包装物３を収容している。収容部１３の大きさおよび形状は特に限定されず、ｚ方向視において被包装物３の少なくとも一部を収容可能なものであればよい。図示された例においては、収容部１３は、ｚ方向視略矩形状の貫通孔であり、台材１のｘ方向における略中央に配置されている。被包装物３は、ｚ方向において台材１よりも突出している。なお、図示された例においては、台材切断予定線１２は、収容部１３には到達していない。
【００２８】
本実施形態においては、一対の台材１それぞれの台材切断起点部１１、台材切断予定線１２および収容部１３が、ｚ方向視において互いに一致している。ただし、一対の台材１それぞれの台材切断起点部１１、台材切断予定線１２および収容部１３は、ｚ方向視において互いに一致した構成に限定されず、互いの一部ずつが重なる構成であってもよい。また、一対の台材１それぞれの台材切断起点部１１および台材切断予定線１２は、互いに重ならない構成であってもよい。また、台材切断起点部１１、台材切断予定線１２および収容部１３のいずれかもしくはすべてが一対の台材１の一方のみに設けられた構成であってもよい。
【００２９】
一対の台材１の外面は、たとえば、被包装物３の商品説明を印刷する領域として利用することができる。
【００３０】
一対のフィルム２は、被包装物３に沿って延伸しうる伸縮性を発揮するフィルムであり、被包装物３を包装するためのものである。一方のフィルム２は、外面２１が一方の台材１に支持されており、他方のフィルム２は、外面２１が他方の台材１に支持されている。台材１によるフィルム２の支持形態は特に限定されない。たとえば、接着剤や接着テープ等（図示略）を用いて、台材１およびフィルム２を接合してもよい。あるいは、台材１の表面にヒートシール性を発揮するコート層が設けられている場合、台材１およびフィルム２をヒートシールによって接合してもよい。なお、図示された例においては、台材１およびフィルム２の接合領域は、収容部１３を避けた位置に設けられ、たとえば収容部１３を囲むように台材１の四辺に沿って設けられてもよい。一対のフィルム２は、ｚ方向視における収容部１３に内包された領域において、被包装物３を挟んでおり、内面２２が被包装物３に接するように被包装物３を覆っている。
【００３１】
本実施形態のフィルム２は、平面視略矩形状であり、台材１の外形と略一致しているが、これに限定されず、台材１と異なる大きさや形状であってもよい。また、一対のフィルム２同士の大きさや形状が異なる構成であってもよい。
【００３２】
なお、一対のフィルム２は、それぞれ別々の部材であることに限定されず、互いに連結された構成であってもよい。たとえば、一対のフィルム２は、互いの端縁同士が折り返し部分を介して連結された構成であってもよいし、折り畳まれた筒状フィルムによって構成されてもよい。
【００３３】
フィルム２としては、特に限定されず、通常公知の伸縮性を備える単層構成または一種あるいは二種以上の複層構成の合成樹脂製フィルムが用いられる。また、適宜必要に応じて、ガスバリアー性や遮光性等の各種機能を有するフィルムを用いてもよい。フィルム２の厚みは、通常２０μｍ〜３００μｍ、好ましくは３０μｍ〜２００μｍである。
【００３４】
フィルム２の層を構成する材質の種類としては、特に限定されないが、たとえば、ポリオレフィン系樹脂、ポリアミド系樹脂、ポリエステル系樹脂、ポリウレタン系樹脂、エチレン−酢酸ビニル共重合体、軟質塩化ビニルなどの熱可塑性樹脂が挙げられ、これらは単独で用いられてもよいし、二種以上を混合して用いてもよい。好ましくは、ポリオレフィン系樹脂及びポリウレタン系樹脂であり、特に好ましくはポリオレフィン系樹脂である。
【００３５】
ポリオレフィン系樹脂としては、たとえば、直鎖状低密度ポリエチレン、低密度ポリエチレン、中密度ポリエチレン、高密度ポリエチレンなどのポリエチレン系樹脂、ポリプロピレンなどのポリプロピレン系樹脂、プロピレン−エチレン共重合体、エチレン−酢酸ビニル共重合体、アイオノマー樹脂、エチレン−（メタ）アクリル酸共重合体、エチレン−（メタ）アクリル酸−不飽和カルボン酸エステル共重合体などの各種共重合体が挙げられる。
【００３６】
図２に示すように、一対のフィルム２は、それぞれフィルム切断起点部２３およびフィルム切断予定線２４を有している。
【００３７】
フィルム切断起点部２３は、台材１の切断の進展に伴って生じるフィルム２の切断の起点となる部位である。本実施形態においては、フィルム切断起点部２３は、台材切断起点部１１を起点とした台材１の切断の進展に伴って生じるフィルム２の切断の起点となる部位である。すなわち、フィルム切断起点部２３は、フィルム２に被包装物３を取り出し可能な開口を生じさせる切断の起点となる部位である。フィルム切断起点部２３の具体的構成は特に限定されず、切欠きや切断部位、あるいは孔等が挙げられる。本実施形態においては、フィルム切断起点部２３は、フィルム切断予定線２４の端部によって構成されている。
【００３８】
フィルム切断予定線２４は、フィルム２を所定の方向および長さで切断することを可能とする線状部位である。フィルム切断予定線２４の具体的構成は特に限定されず、図示された例においては、いわゆるミシン目線によって構成されている。図２に示すように、図示されたフィルム切断予定線２４は、フィルム２のｙ方向上端縁からｙ方向に沿って延びている。また、図示された例のフィルム切断予定線２４は、ｙ方向に沿う直線状であるが、曲線状や折れ線状であってもよい。
【００３９】
フィルム切断起点部２３およびフィルム切断予定線２４は、一対の台材１の双方によって覆われており、外観に表れない構成となっている。
【００４０】
本実施形態においては、一対のフィルム２それぞれのフィルム切断起点部２３およびフィルム切断予定線２４が、ｚ方向視において互いに一致している。ただし、一対のフィルム２それぞれのフィルム切断起点部２３およびフィルム切断予定線２４は、ｚ方向視において互いに一致した構成に限定されず、互いの一部ずつが重なる構成や互いに重ならない構成であってもよい。また、フィルム切断起点部２３およびフィルム切断予定線２４のいずれかもしくは双方が一対のフィルム２の一方のみに設けられた構成であってもよい。
【００４１】
また、本実施形態においては、一対の台材１の台材切断起点部１１および台材切断予定線１２と一対のフィルム２のフィルム切断起点部２３およびフィルム切断予定線２４とが、ｚ方向視において互いに一致している。ただし、台材切断起点部１１および台材切断予定線１２とフィルム切断起点部２３およびフィルム切断予定線２４とは、ｚ方向視において互いに一致した構成に限定されず、互いの一部ずつが重なる構成や互いに重ならない構成であってもよい。
【００４２】
一対のフィルム２は、適所において互いに接合されている。一対のフィルム２の接合方法は特に限定されず、たとえばヒートシールや接着等を適宜採用可能である。一対のフィルム２の接合箇所は特に限定されないが、ｚ方向視において被包装物３および収容部１３を避けた位置であることが好ましい。図示された例においては、一対のフィルム２の接合箇所は、収容部１３を避けた領域に設けられている。
【００４３】
包装体Ａ１の製造手法は特に限定されず、上述した包装体Ａ１の基本構成を実現しうる手法を適宜採用することができる。包装体Ａ１の製造手法の一例においては、たとえば収容部１３を形成した台材１とフィルム２とを接合し、台材１とフィルム２とに一括してミシン目線を形成することにより、台材切断予定線１２（台材切断起点部１１）およびフィルム切断予定線２４（フィルム切断起点部２３）を形成する。そして、一対の台材１に接合された一対のフィルム２の間に被包装物３を配置し、一対のフィルム２を接合する。包装体Ａ１の製造手法の他の例としては、台材１とフィルム２とを接合する前に、フィルム２にフィルム切断予定線２４（フィルム切断起点部２３）を形成する手法が挙げられる。また、台材１およびフィルム２の接合に先立って、被包装物３を覆う状態で一対のフィルム２の接合を行う手法であってもよい。また、包装体Ａ１の製造においては、一対の台材１となる大きなサイズの台紙材料と一対のフィルム２となる大きなサイズのフィルム材料を用いて、これらを接合した後に一括した切断工程を経ることにより、複数個の包装体Ａ１を製造してもよい。
【００４４】
次に、包装体Ａ１の開封について、図５〜図７を参照しつつ以下に説明する。
【００４５】
まず、図５に示すように、台材切断起点部１１を挟んで一対の台材１をｘ方向両側に引っ張る。これにより、台材切断起点部１１を起点とした台材１の切断を開始する。台材切断起点部１１は、台材切断予定線１２の端部であるため、台材切断予定線１２に沿って台材１の切断が進行する。これにより、一対の台材１に台材切断線１２０が形成され、この台材切断線１２０が台材切断予定線１２に沿って進展する。また、一対のフィルム２は、一対の台材１に接合されているため、台材切断起点部１１を起点とした台材１の切断に伴って、フィルム切断起点部２３を起点としたフィルム２の切断が開始する。フィルム切断起点部２３は、フィルム切断予定線２４の端部であるため、フィルム切断予定線２４に沿ってフィルム２の切断が進行する。同図においては、一対の台材１の台材切断予定線１２および一対のフィルム２のフィルム切断予定線２４の全長に亘って切断が進行した状態を示している。また、同図においては、一対のフィルム２の切断線は、一対の台材１の台材切断線１２０と略一致している。
【００４６】
さらに一対の台材１をｘ方向両側に引っ張ると、図６に示すように、一対の台材１のうち台材切断予定線１２の延長線上にある部位が切断され、台材切断線１２０が進展する。そして、台材切断線１２０が収容部１３に到達すると、一対の台材１の切断が停止する。台材切断線１２０の進展と並行して、一対のフィルム２のうちフィルム切断予定線２４の延長線上にある部位が切断される。これにより、一対のフィルム２の切断線であるフィルム切断線２４０が進展する。一対の台材１の台材切断線１２０が収容部１３に到達すると、一対の台材１は、ｘ方向両側に開いた形状をとりやすい。一方、一対のフィルム２には、収容部１３のような部位は形成されていない。このため、台材切断線１２０が収容部１３に到達した後は、一対のフィルム２のフィルム切断線２４０は、一対の台材１の台材切断線１２０よりも内側にずれた位置に存在する。同図においては、一対のフィルム２のうちｚ方向視において収容部１３に重なっていた部位に、フィルム切断線２４０が到達した状態を示している。
【００４７】
さらに一対の台材１をｘ方向両側に引っ張ると、図７に示すように、一対のフィルム２の切断が進行し、フィルム切断線２４０がさらに進展する。同図は、フィルム切断線２４０が被包装物３のｙ方向図中下端付近に到達した状態を示している。一対のフィルム２にフィルム切断線２４０が形成されることにより、被包装物３がフィルム２から露出する。この被包装物３を把持して一対の台材１および一対のフィルム２から離間させることにより、被包装物３を取り出すことができる。
【００４８】
なお、本実施形態においては、台材切断予定線１２とフィルム切断予定線２４とが互いに重なっている。このため、一対の台材１に台材切断線１２０が形成されると略同時に一対のフィルム２にフィルム切断線２４０が形成される。ただし、これらの切断は、一対の台材１がｘ方向両側に引っ張られることに起因している。このため、フィルム切断線２４０が台材切断線１２０と略同時に形成されると表現される場合であっても、台材切断線１２０の進展に伴ってフィルム切断線２４０が生じている態様の一例であると観念される。
【００４９】
次に、包装体Ａ１の作用について説明する。
【００５０】
本実施形態によれば、台材１の切断が進展するに伴い、フィルム切断起点部２３を起点としたフィルム２の切断が生じる。このため、台材１を切断した後に、別の動作によってフィルム２を切断する必要が無く、台材１とフィルム２とを１つの動作によって切断することが可能である。したがって、包装体Ａ１をよりスムーズに開封することができる。
【００５１】
台材１に台材切断起点部１１を設けておくことにより、台材１の所望の箇所から切断を開始することが容易である。
【００５２】
台材切断起点部１１は、台材切断予定線１２の端部によって構成されている。このため、台材切断起点部１１を起点とした台材１の切断が開始すると、この切断は台材切断予定線１２に沿って進展する。したがって、台材１の所望の部位をより正確に切断することができる。一対の台材１の双方に台材切断予定線１２（台材切断起点部１１）が形成された構成は、一対の台材１を一括して切断するのに適している。また、ｚ方向視において一対の台材１の台材切断予定線１２が一致している構成は、一対の台材１をスムーズに切断するのに好適である。
【００５３】
フィルム切断起点部２３は、フィルム切断予定線２４の端部によって構成されている。このため、フィルム切断起点部２３を起点としたフィルム２の切断が開始すると、この切断はフィルム切断予定線２４に沿って進展する。したがって、フィルム２の所望の部位をより正確に切断することができる。一対のフィルム２の双方にうフィルム切断予定線２４（フィルム切断起点部２３）が形成された構成は、一対のフィルム２を一括して切断するのに適している。また、ｚ方向視において一対のフィルム２のフィルム切断予定線２４が一致している構成は、一対のフィルム２をスムーズに切断するのに好適である。
【００５４】
ｚ方向視において台材切断予定線１２（台材切断起点部１１）とフィルム切断予定線２４（フィルム切断起点部２３）とが互いに一致していることにより、一対の台材１と一対のフィルム２とを同じ箇所においてより確実に切断することができる。また、包装体Ａ１の製造においては、一対の台材１と一対のフィルム２とを接合した後に、台材切断予定線１２とフィルム切断予定線２４とを一括して形成可能であるという利点がある。
【００５５】
フィルム切断予定線２４のすべてが台材１によって覆われていることにより、包装体Ａ１が店頭において陳列されている際などに、意図しない力が負荷されることによってフィルム２の切断が生じてしまうことを抑制することができる。たとえば、フィルム切断予定線２４が収容部１３内において台材１から露出していると、製造時に負荷される力や被包装物３の自重によってフィルム切断予定線２４が開かれた状態となることが懸念される。本実施形態によれば、このような事態を防止することができる。
【００５６】
図８〜図１４は、本発明の変形例および他の実施形態を示している。なお、これらの図において、上記実施形態と同一または類似の要素には、上記実施形態と同一の符号を付している。
【００５７】
図８は、包装体Ａ１の変形例を示している。本変形例においては、台材１の収容部１３は、台材１のｙ方向下端縁からｙ方向上方に凹む切欠き部によって構成されている。この収容部１３には、ｚ方向視において被包装物３の一部が収容されている。被包装物３の他の一部は、ｚ方向視において台材１からはみ出している。また、一対のフィルム２は、被包装物３のうちｚ方向視において収容部１３に収容された部分を覆っている。
【００５８】
このような変形例によっても、包装体Ａ１をよりスムーズに開封することができる。なお、包装体Ａ１において、収容部１３が被包装物３のすべてを収容する構成であるか、被包装物３の一部のみを収容する構成であるかは、適宜選択可能であり、後述する実施形態においても同様である。
【００５９】
図９および図１０は、本発明の第２実施形態に基づく包装体を示している。図１０は、理解の便宜上、一方の台材１を省略している。本実施形態に包装体Ａ２においては、一対のフィルム２のそれぞれに、退避部２５が形成されている。退避部２５は、台材１の端縁に対してフィルム２の端縁の一部をｚ方向視における内方に退避させる部位である。図示された例においては、退避部２５は、フィルム２のｙ方向上端縁からｙ方向下方に凹む切欠き部によって構成されている。退避部２５の形状は特に限定されず、図示された例においては、ｚ方向視略矩形状である。
【００６０】
一対の台材１の台材切断予定線１２は、台材１のうちｚ方向視においてフィルム２の退避部２５に内包された部分に形成されている。さらに、台材切断予定線１２の下端は、退避部２５のｙ方向下端縁から離間している。
【００６１】
フィルム２のフィルム切断予定線２４は、退避部２５のｙ方向下端縁から収容部１３に向かってｙ方向に延びている。ただし、本実施形態においても、フィルム切断予定線２４は、収容部１３から露出していない。
【００６２】
本実施形態においては、台材１の台材切断予定線１２とフィルム２のフィルム切断予定線２４とは、ｚ方向視において重なっていない。また、台材切断予定線１２とフィルム切断予定線２４とは、略同一直線状に配置されている。
【００６３】
このような実施形態によっても、包装体Ａ２をスムーズに開封することができる。また、台材切断予定線１２に沿って生じた台材切断線１２０は、台材切断予定線１２が設けられていない領域においても、台材切断予定線１２の延長線上に進展しやすい。このような台材切断線１２０の進展により、台材切断予定線１２の延長線上にあるフィルム切断起点部２３を起点としてフィルム２の切断を容易に開始することができる。また、台材切断起点部１１を起点とした台材１の切断が開始しても、フィルム切断起点部２３を起点としたフィルム２の切断は、即座には開始されない。このため、包装体Ａ２が店頭に陳列されている際などに、意図しない力が台材１に負荷されたとしても、台材１に若干の切断が生じるにとどまり、フィルム２の切断を生じさせないことが可能である。
【００６４】
図１１および図１２は、本発明の第３実施形態に基づく包装体を示している。図１２は、理解の便宜上、一方の台材１を省略している。本実施形態においては、台材１に台材切断起点部１１が形成され、フィルム２にフィルム切断起点部２３が形成されているものの、上述した台材切断予定線１２およびフィルム切断予定線２４は、形成されていない。台材切断起点部１１は、台材１の端縁に形成された切込み部によって構成されている。フィルム切断起点部２３は、フィルム２の退避部２５のｙ方向下端縁に形成された切込み部によって構成されている。
【００６５】
台材切断起点部１１を挟んで台材１をｘ方向両側に引っ張ると、台材切断起点部１１を起点として台材１の切断が開始される。この切断は、ｙ方向下方に進行する。このため、台材切断線１２０は、フィルム切断起点部２３に向かって進展する。台材１の切断が所定の程度まで進行すると、フィルム切断起点部２３を起点としてフィルム２の切断が開始する。これによって生じるフィルム切断線２４０は、ｙ方向下方に進展し、被包装物３を露出させる。
【００６６】
このような実施形態によっても、包装体Ａ３をスムーズに開封することができる。特に、台紙からなる台材１は、台材切断起点部１１が設けられていれば、意図した方向に切断することが比較的容易である。そして、このような台材１の台材切断線１２０が進展すると、フィルム２にフィルム切断予定線２４が設けられていなくとも、フィルム切断起点部２３を起点として、フィルム２をスムーズに切断することができる。
【００６７】
図１３は、本発明の第４実施形態に基づく包装体を示している。本実施形態の包装体Ａ４においては、一対の台材１の一方（図中ｚ方向上側の台材１）には、収容部１３のみが形成されており、台材切断起点部１１および台材切断予定線１２は形成されていない。また、一対の台材１の他方（図中ｚ方向下側の台材１）には、台材切断起点部１１および台材切断予定線１２のみが形成されており、収容部１３は形成されていない。すなわち、包装体Ａ４においては、収容部１３を有する台材１（図中ｚ方向上側の台材１）には、台材１の切断の起点となる台材切断起点部１１は、設けられていない。一方、収容部１３を有さない台材１（図中ｚ方向下側の台材１）には、台材切断起点部１１が設けられている。また、一対のフィルム２の一方（図中ｚ方向上側のフィルム２）には、フィルム切断起点部２３およびフィルム切断予定線２４が設けられている。これに対し、一対のフィルム２の他方（図中ｚ方向下側のフィルム２）には、フィルム切断起点部２３およびフィルム切断予定線２４が設けられていない。すなわち、本実施形態においては、台材切断起点部１１および台材切断予定線１２が設けられた台材１とフィルム切断起点部２３およびフィルム切断予定線２４が設けられたフィルム２とは、互いに直接接合されていない。
【００６８】
包装体Ａ４の開封に際しては、被包装物３が視認される側とは反対側の台材１に設けられた台材切断予定線１２（台材切断起点部１１）を用いて一対の台材１を切断する。このような実施形態によっても、包装体Ａ４をスムーズに開封することができる。
【００６９】
図１４は、本発明の第５実施形態に基づく包装体を示している。本実施形態の包装体Ａ５においては、一対の台材１のいずれにも、台材切断起点部１１および台材切断予定線１２が形成されていない。また、一対のフィルム２の双方に、フィルム切断起点部２３およびフィルム切断予定線２４が設けられている。また、一対の台材１の一方（図中ｚ方向上側の台材１）には、切断誘導部１９が設けられている。切断誘導部１９は、たとえば印刷等によって形成された図形であり、台材１が部分的に切断されたり減肉されたりした部分ではない。切断誘導部１９は、フィルム２のフィルム切断予定線２４とｚ方向視において重なっていることが好ましい。
【００７０】
本実施形態においても、切断誘導部１９を目印として一対の台材１および一対のフィルム２の切断を開始すると、これらをスムーズに切断することができる。また、本実施形態においては、台材１は、比較的厚さが薄い紙材からなることが好ましい。
【００７１】
本発明に係る包装体は、上述した実施形態に限定されるものではない。本発明に係る包装体の各部の具体的な構成は、種々に設計変更自在である。
【符号の説明】
【００７２】
Ａ１〜Ａ５    ：包装体
１      ：台材
２      ：フィルム
３      ：被包装物
１１    ：台材切断起点部
１２    ：台材切断予定線
１３    ：収容部
１９    ：切断誘導部
２１    ：外面
２２    ：内面
２３    ：フィルム切断起点部
２４    ：フィルム切断予定線
２５    ：退避部
１２０  ：台材切断線
２４０  ：フィルム切断線
【図１】
2017145040.tif 000003
【図２】
2017145040.tif 000004
【図３】
2017145040.tif 000005
【図４】
2017145040.tif 000006
【図５】
2017145040.tif 000007
【図６】
2017145040.tif 000008
【図７】
2017145040.tif 000009
【図８】
2017145040.tif 000010
【図９】
2017145040.tif 000011
【図１０】
2017145040.tif 000012
【図１１】
2017145040.tif 000013
【図１２】
2017145040.tif 000014
【図１３】
2017145040.tif 000015
【図１４】
2017145040.tif 000016